(57)【要約】【課題】構造が簡単で安価であり、走行玩具の走行状態を離れた位置から簡単に識別することができる走行玩具を提供する。【解決手段】走行玩具１の車体２は、前車軸６１及び後車軸６６を回動自在且つ前後方向に移動可能に軸受けする支持部２２，２３，２９，３０と、第１のスイッチ手段９５と、第２のスイッチ手段９６と、この第１のスイッチ手段９５と第２のスイッチ手段９６とに電気的に接続される駆動部７５とを有する。前車軸６１は、前方向走行時に、後方向に移動して第１のスイッチ手段９５をオンし、駆動部７５を駆動する。後車軸６６は、後方向走行時に、前方向に移動して第２のスイッチ手段９６をオンし、駆動部７５を駆動する。【選択図】        図４
2004321615.tif 000002
【特許請求の範囲】
【請求項１】
走行玩具であって、
車体は、
前車輪の前車軸を回動自在且つ前後方向に移動可能に支持する前支持部と、
後車輪の後車軸を回動自在且つ前後方向に移動可能に支持する後支持部とを備え、
さらに車体は、
第１のスイッチ手段と、第２のスイッチ手段と、この第１のスイッチ手段と第２のスイッチ手段に電気的に接続される駆動部とを有し、
前車軸は、前方向走行時に、後方向に移動して第１のスイッチ手段をオンして駆動部を駆動し、後方向走行時に、前方向に移動して第１のスイッチ手段をオンしないようにし、
後車軸は、後方向走行時に、前方向に移動して第２のスイッチ手段をオンして駆動部を駆動し、前方向走行時に、後方向に移動して第２のスイッチ手段をオンしないようにしたことを特徴とする走行玩具。
【請求項２】
車軸には、スイッチ手段をオンするカムが設けられていることを特徴とする請求項１記載の走行玩具。
【請求項３】
走行玩具であって、
車体と、
前記車体に対して、走行方向と異なる方向に移動可能に設けられた移動部材と、走行玩具の走行時に、走行方向と異なる方向への前記移動部材の移動により駆動される被駆動手段と、
を有することを特徴とする走行玩具。
【請求項４】
前記走行方向と異なる方向は、走行玩具の走行方向とは略反対方向であることを特徴とする請求項３記載の走行玩具。
【請求項５】
前記走行玩具は、少なくとも第１の走行方向と第２の走行方向に走行可能であり、
前記被駆動手段は、第１のスイッチ手段と、第２のスイッチ手段と、当該第１のスイッチ手段または当該第２のスイッチ手段がオンされることにより駆動される駆動部とからなり、
前記第１のスイッチ手段は、前記走行玩具の第１の走行方向への走行時に、第１の走行方向とは略反対方向への移動部材の移動によりオンされ、
前記第２のスイッチ手段は、前記走行玩具の第２の走行方向への走行時に、第２の走行方向とは略反対方向への移動部材の移動によりオンされることを特徴とする請求項３または４記載の走行玩具。
【請求項６】
前記駆動部は、発光手段であって、
前記第１のスイッチ手段がオンされることにより第１の色を発光し、
前記第２のスイッチ手段がオンされることにより第２の色を発光することを特徴とする請求項１、２又は５記載の走行玩具。
【請求項７】
前記駆動部は、発音手段であって、
前記第１のスイッチ手段がオンされることにより第１の音を発音し、
前記第２のスイッチ手段がオンされることにより第２の音を発音することを特徴とする請求項１、２又は５記載の走行玩具。
【請求項８】
前記駆動部は、可動手段であって、
前記第１のスイッチ手段がオンされることにより第１の可動部が可動し、
前記第２のスイッチ手段がオンされることにより第２の可動部が可動することを特徴とする請求項１、２又は５記載の走行玩具。
【請求項９】
前記移動部材は、前記走行玩具の車軸であり、
前記車体には、前記車軸を回転可能、且つ前記走行方向に対して略反対方向へ移動可能に支持する支持部が設けられていることを特徴とする請求項３乃至８に記載の走行玩具。
【発明の詳細な説明】
【０００１】
【発明の属する技術分野】
この発明は、走行状態を報知する駆動部を備えた走行玩具に関するものである。
【０００２】
【従来の技術】
従来、走行状態を知らせる駆動部を備えた走行玩具が存在した。この走行玩具は、走行状態を知らせる駆動部として、発光手段が設けられ、車軸に設けられたカムが、車輪の回転に伴って回転し、スイッチをＯＮ・ＯＦＦすることによって、発光手段を点滅させ、走行中であることを知らせるようにしている（例えば、特許文献１）。
【０００３】
【特許文献１】
実公昭５７−５９１９３号公報
【０００４】
【発明が解決しようとする課題】
上記した従来の走行玩具は、前進及び後進時に発光手段が点滅するため、走行玩具の走行状態、即ち前進であるか、後進であるかを、離れた位置で識別することができない、という問題点があった。
【０００５】
本願発明は、上記問題点に鑑み案出したものであって、構造が簡単で安価であり、走行玩具の走行状態を離れた位置から簡単に識別することができる走行玩具を提供することを目的とする。
【０００６】
【課題を解決するための手段】
請求項１に係る走行玩具は、上記目的を達成するため、車体は、前車輪の前車軸を回動自在且つ前後方向に移動可能に支持する前支持部と、後車輪の後車軸を回動自在且つ前後方向に移動可能に支持する後支持部とを備え、さらに車体は、第１のスイッチ手段と、第２のスイッチ手段と、この第１のスイッチ手段と第２のスイッチ手段に電気的に接続される駆動部とを有し、前車軸は、前方向走行時に、後方向に移動して第１のスイッチ手段をオンして駆動部を駆動し、後方向走行時に、前方向に移動して第１のスイッチ手段をオンしないようにし、後車軸は、後方向走行時に、前方向に移動して第２のスイッチ手段をオンして駆動部を駆動し、前方向走行時に、後方向に移動して第２のスイッチ手段をオンしないようにした。
【０００７】
請求項２に係る走行玩具は、上記目的を達成するため、車軸には、スイッチ手段をオンするカムが設けられている。
【０００８】
請求項３に係る走行玩具は、上記目的を達成するため、車体と、前記車体に対して、走行方向と異なる方向に移動可能に設けられた移動部材と、走行玩具の走行時に、走行方向と異なる方向への前記移動部材の移動により駆動される被駆動手段とを有する。
【０００９】
請求項４に係る走行玩具は、上記目的を達成するため、前記走行方向と異なる方向は、走行玩具の走行方向とは略反対方向である。
【００１０】
請求項５に係る走行玩具は、上記目的を達成するため、前記走行玩具は、少なくとも第１の走行方向と第２の走行方向に走行可能であり、前記被駆動手段は、第１のスイッチ手段と、第２のスイッチ手段と、当該第１のスイッチ手段または当該第２のスイッチ手段がオンされることにより駆動される駆動部とからなり、前記第１のスイッチ手段は、前記走行玩具の第１の走行方向への走行時に、第１の走行方向とは略反対方向への移動部材の移動によりオンされ、前記第２のスイッチ手段は、前記走行玩具の第２の走行方向への走行時に、第２の走行方向とは略反対方向への移動部材の移動によりオンされる。
【００１１】
請求項６に係る走行玩具は、上記目的を達成するため、前記駆動部は、発光手段であって、前記第１のスイッチ手段がオンされることにより第１の色を発光し、前記第２のスイッチ手段がオンされることにより第２の色を発光する。
【００１２】
請求項７に係る走行玩具は、上記目的を達成するため、前記駆動部は、発音手段であって、前記第１のスイッチ手段がオンされることにより第１の音を発音し、前記第２のスイッチ手段がオンされることにより第２の音を発音する。
【００１３】
請求項８に係る走行玩具は、上記目的を達成するため、前記駆動部は、可動手段であって、前記第１のスイッチ手段がオンされることにより第１の可動部が可動し、前記第２のスイッチ手段がオンされることにより第２の可動部が可動する。
【００１４】
請求項８に係る走行玩具は、上記目的を達成するため、前記移動部材は、前記走行玩具の車軸であり、前記車体には、前記車軸を回転可能、且つ前記走行方向に対して略反対方向へ移動可能に支持する支持部が設けられている。
【００１５】
【発明の実施の形態】
本願発明の実施の形態を図１乃至図６に基づいて説明する。図１は、本願発明に係る走行玩具の一つの実施の形態を示す全体斜視図である。図２は、図１の分解斜視図である。図３は、図１のカバー体を外した側面図である。図４は、図１の側面断面図である。図５は、図４の動きを説明する側面断面図である。図６は、図１の走行玩具の電気回路を説明する説明図である。
【００１６】
走行玩具１は、車体２と、前記車体２に対して、走行方向と異なる方向に移動可能に設けられた移動部材６１，６６と、走行玩具１の走行時に、走行方向と異なる方向への前記移動部材６１，６６の移動により駆動される被駆動手段とを有する。前記走行方向と異なる方向は、走行玩具１の走行方向とは略反対方向である。
【００１７】
前記走行玩具１は、少なくとも第１の走行方向（図１のＸ方向）と第２の走行方向（図１のＹ方向）に走行可能であり、前記被駆動手段は、第１のスイッチ手段９５と、第２のスイッチ手段９６と、当該第１のスイッチ手段９５または当該第２のスイッチ手段９６がオンされることにより駆動される駆動部７５とからなる。前記第１のスイッチ手段９５は、前記走行玩具１の第１の走行方向（図４のＸ方向）への走行時に、第１の走行方向とは略反対方向への移動部材６１の移動によりオンされる。前記第２のスイッチ手段９６は、前記走行玩具１の第２の走行方向（図４のＹ方向）への走行時に、第２の走行方向とは略反対方向への移動部材６６の移動によりオンされる。
【００１８】
前記駆動部７５は、発光手段であって、前記第１のスイッチ手段９５がオンされることにより第１の色を発光し、前記第２のスイッチ手段９６がオンされることにより第２の色を発光し、走行方向を視覚により識別できる。さらにまた前記駆動部は、発音手段であって、前記第１のスイッチ手段９５がオンされることにより第１の音を発音し、前記第２のスイッチ手段９６がオンされることにより第２の音を発音し、走行方向を聴覚により識別できる。
【００１９】
前記移動部材は、前記走行玩具１の車軸６１，６６であり、前記車体２には、前記車軸６１，６６を回転可能、且つ前記走行方向に対して略反対方向へ移動可能に支持する支持部２２，２３，２９，３０が設けられている。
【００２０】
走行玩具１を具体的に説明する。車体２は、前車輪６０の前車軸６１を回動自在且つ前後方向に移動可能に支持する前支持部２２，２３と、後車輪６５の後車軸６６を回動自在且つ前後方向に移動可能に支持する後支持部２９，３０とを備えている。さらに車体２は、第１のスイッチ手段９５と、第２のスイッチ手段９６と、この第１のスイッチ手段９５と第２のスイッチ手段９６に電気的に接続される駆動部７５とを有する。
【００２１】
前車軸６１は、前方向（図４のＸ方向）走行時に、後方向（図５のＹ方向）に移動して第１のスイッチ手段９５をオンして駆動部７５を駆動し、後方向（図５のＹ方向）走行時に、前方（図４のＸ方向）向に移動して第１のスイッチ手段９５をオンしないようにしている。後車軸６６は、後方向（図５のＹ方向）走行時に、前方向（図４のＸ方向）に移動して第２のスイッチ手段９６をオンして駆動部７５を駆動し、前方向（図４のＸ方向）走行時に、後方向（図５のＹ方向）に移動して第２のスイッチ手段９６をオンしないようにしている。車軸６１，６６には、スイッチ手段９５，９６をオンするカム６３，６８が設けられている。
【００２２】
さらに走行玩具について詳細に説明する。走行玩具１は、車体２と電車形状のカバー体１００とからなる。車体２は、下枠体３と、下枠体３にネジ５７によって取り付けられる上枠体３５とからなる。
【００２３】
下枠体３は、幅が広い中底壁５と、幅が狭い前底壁６と後底壁７と、中底壁５の左右に設けられた左中下側壁９及び右中下側壁１０と、前底壁６の左右に設けられた左前下側壁１１及び右前下側壁１２と、後底壁７の左右に設けられた左後下側壁１３及び右後下側壁１４とからなる。左中下側壁９と右中下側壁１０は、左前下側壁１１、右前下側壁１２、左後下側壁１３及び右後下側壁１４より高く形成されている。
【００２４】
左中下側壁９と右中下側壁１０は、上端に係合凹部４８，４９が形成されている。左中下側壁９及び右中下側壁１０は、外側面に係止突起１５，１５が形成され、上部に雌ネジ１７，１７が形成されたボス１６，１６が設けられている。中底壁５の略中央には、略十字状の当接突起１９が形成されている。前底壁６には、半円状の凹部２１が形成されている。
【００２５】
左前下側壁１１及び右前下側壁１２は、前後方向に長く伸びる略矩形状の軸受け凹部２２，２３が形成され、この軸受け凹部２２，２３の前部に係合縁２５，２６が突設されている。後底壁７には、半円状の凹部２７が形成されている。左後下側壁１３及び右後下側壁１４は、前後方向に長く伸びる略矩形状の軸受け凹部２９，３０が形成され、この軸受け凹部２９，３０の後部に係合縁３１，３２が突設されている。
【００２６】
上枠体３５は、幅が広い中上壁３６と、幅が狭い前上壁３４と後上壁３９と、中上壁３６の左右に設けられた左中上側壁３７及び右中上側壁３８と、前上壁３４の左右に設けられた左前上側壁４１及び右前上側壁４２と、後上壁３９の左右に設けられた左後上側壁４３及び右後上側壁４４とからなる。左前上側壁４１及び右前上側壁４２の前端には、上前壁４５が設けられ、左後上側壁４３及び右後上側壁４４の後端には、上後壁４６が設けられている。
【００２７】
上前壁４５には、段部４７が形成され、さらに中央部に透孔５０が形成されている。左中上側壁３７と右中上側壁３８は、左前上側壁４１、右前上側壁４２、左後上側壁４３及び右後上側壁４４より低く形成されている。左中上側壁３７と右中上側壁３８は、下端に係合凸部５１，５２が形成されている。中上壁３６は、所定位置にネジ通し穴５３，５３が形成され、さらにネジ５５によって蓋部材５６が着脱自在に取り付けられている。
【００２８】
上枠体３５は、ネジ５７，５７をネジ通し穴５３，５３に挿通して、下枠体３のボス１６，１６に形成された雌ネジ１７，１７に螺合することによって、下枠体３に一体的に組み立てられ、車体２を形成する。左中上側壁３７は、下端縁が左中下側壁９の上端縁と当接し、係合凸部５１が係合凹部４８に係合する。右中上側壁３８は、下端縁が右中下側壁１０の上端縁と当接し、係合凸部５２が係合凹部４９に係合する。
【００２９】
左前上側壁４１は、下端縁が左前下側壁１１の上端縁と当接して、軸受け凹部２２が長孔形状の前支持部を形成し、係合縁２５に係合する。右前上側壁４２は、下端縁が右前下側壁１２の上端縁と当接して、軸受け凹部２３が長孔形状の前支持部を形成し、係合縁２６に係合する。左後上側壁４３は、下端縁が左後下側壁１３の上端縁と当接して、軸受け凹部２９が長孔形状の後支持部を形成し、係合縁３１に係合する。右後上側壁４４は、下端縁が右後下側壁１４の上端縁と当接して、軸受け凹部３０が長孔形状の後支持部を形成し、係合縁３２に係合する。
【００３０】
前記前支持部２２，２３には、両端に前車輪６０，６０を備えた前車軸６１が回動自在且つ前後方向に移動自在に設けられている。この前車軸６１には、前底壁６の凹部２１内を通過する紡錘状のカム６３が固定して設けられている。また、後支持部２９，３０には、両端に後車輪６５，６５を備えた後車軸６６が回動自在且つ前後方向に移動自在に設けられている。この後車軸６６には、後底壁７の凹部２７内を通過する紡錘状のカム６８が固定して設けられている。
【００３１】
車体２内は、基板７０がネジ等によって固定して取り付けられている。基板７０は、下面に金属板８０が取り付けられている。金属板８０は、帯状に形成され、中央部８１に一対の爪片８２，８２が設けられ、中央部８１を中心とした前後に緩やかに湾曲した前湾曲部８３と後湾曲部８５が形成され、前湾曲部８３の前端に前接触部８６が形成され、後湾曲部８５の後端に後接触部８７が形成されている。
【００３２】
前接触部８６は、前湾曲部８３の前端に連接された前直線部８８と、前直線部８８に連接された前屈曲部８９とからなる。後接触部８７は、後湾曲部８５の後端に連接された後直線部９０と、後直線部９０に連接された後屈曲部９１とからなる。前直線部８８と後直線部９０の上面には、当接突起９２，９３が形成されている。
【００３３】
金属板８０は、爪片８２，８２を基板７０の中央に形成された一対の長溝７１，７１に差し込み、爪片８２，８２を折り曲げることによって、基板７０に取り付けられている。金属板８０の中央部８１は、前記下枠体３の当接突起１９によって押さえられるようになっている。基板７０は、下面の前後に前記金属板８０の当接突起９２，９３と当接可能な当接片７２，７３が設けられている。前接触部８６と当接片７２によって第１のスイッチ手段９５が構成され、後接触部９３と当接片７３によって第２のスイッチ手段９６が構成される。
【００３４】
また、基板７０には、発光手段として２色ＬＥＤ７５が取り付けられている。２色ＬＥＤ７５のリード線７６，７７，７８が基板７０に固定して取り付けられ、同じく基板７０に取り付けられた電池７９，７９と、基板７０に形成された導電帯によって電気回路９７を構成している。
【００３５】
この電気回路９７は、２色ＬＥＤ７５と第１のスイッチ手段９５と電池７９，７９からなる第１回路９８と、２色ＬＥＤ７５と第２のスイッチ手段９６と電池７９，７９からなる第２回路９９とからなる。基板７０の前部及び後部には、前記金属板８０の前屈曲部８９と後屈曲部９１を挿通する挿通孔６２，６４が設けられている。２色ＬＥＤ７５は、前記上枠体３５の透孔５０から突出している。
【００３６】
電車形状に形成されたカバー体１００は、左右側壁１０１，１０２に係止穴１０３，１０３が形成され、車体２の係止突起１５，１５に係止穴１０３，１０３を着脱自在に係止することによって、車体２に取り付けられている。カバー体１００の前部には、透過性を有する素材で形成された表示窓１０５が設けられ、当該表示窓１０５により２色ＬＥＤ７５を視認することが可能となっている。
【００３７】
走行玩具１は、上記構成を備え、前方に走行すると、前車軸６１及び後車軸６６が支持部２２，２３，２９，３０の後縁２２ａ，２３ａ，２９ａ，３０ａに当接するまで後方に移動する（図４参照）。前車軸６１及び後車軸６６の前方回転に伴って、カム６３及びカム６８が前方回転する。前車軸６１のカム６３は、金属板８０の前直線部８３に摺接し、後車軸６６のカム６８は、金属板８０の後直線部９０に摺接する。
【００３８】
前車軸６１のカム６３は、金属板８０の中央部８１寄りに位置しているため、前直線部８３を充分に内側から押し上げることができ、当接突起９２を当接片７２に間欠的に接離させる。前屈曲部８９は、基板７０に当接して、当接突起９２が当接片７２に接触するのを妨げないように、挿通孔６２内に逃げるようになっている。
【００３９】
後車軸６６のカム６８は、金属板８０の中央部８１から離間した所に位置しているため、後直線部９０を充分に外側から押し上げることができず、当接突起９３を当接片７３に当接させることができない。このように、走行玩具１を前方に走行させると、当接突起９２が当接片７２に間欠的に接離し、即ち第１のスイッチ手段９５がＯＮ・ＯＦＦし、２色ＬＥＤ７５の第１色（例えば赤色）を点滅させる。
【００４０】
走行玩具１は、後方に走行すると、前車軸６１及び後車軸６６が支持部２２，２３，２９，３０の前縁２２ｂ，２３ｂ，２９ｂ，３０ｂに当接するまで前方に移動する（図５参照）。前車軸６１及び後車軸６６の後方回転に伴って、カム６３及びカム６８が後方回転する。前車軸６１のカム６３は、金属板８０の前直線部８３に摺接し、後車軸６６のカム６８は、金属板８０の後直線部９０に摺接する。
【００４１】
後車軸６６のカム６８は、金属板８０の中央部８１寄りに位置しているため、後直線部９０を充分に内側から押し上げることができ、当接突起９３を当接片７３に間欠的に接離させる。後屈曲部９１は、基板７０に当接して、当接突起９３が当接片７３に接触するのを妨げないように、挿通孔６４内に逃げるようになっている。
【００４２】
前車軸６１のカム６３は、金属板８０の中央部８１から離間した所に位置しているため、前直線部８３を充分に外側から押し上げることができず、当接突起９２を当接片７２に当接させることができない。このように、走行玩具１を後方に走行させると、当接突起９３が当接片７３に間欠的に接離し、即ち第２のスイッチ手段９６がＯＮ・ＯＦＦし、２色ＬＥＤ７５の第２色（例えば青色）を点滅させる。
【００４３】
使用者は、走行玩具１が前方に走行すると、カバー体１００の表示窓１０５を通して、２色ＬＥＤ７５の発光している色を視認することができ、走行玩具１の走行方向を瞬時に判断することができる。なお、カバー体１００は、電車形状に形成されているが、この形状に限定されるものではなく、自動車、飛行機等の異なる形状に変えても構わないのは勿論である。また、本実施の形態では、走行方向を知らせる駆動部として発光手段（２色ＬＥＤ７５）を採用しているが、発音手段であっても良い。例えば、前進時に、「ピーコ、ピーコ、・・・」又は「前進します」と発音させ、後進時、「プ、プ、・・・」又は「バックします」と発音させるようにしても構わない。
【００４４】
さらに又、本実施の形態では、前車軸６１と後車軸６６の移動によりＯＮ・ＯＦＦする第１のスイッチ手段９５と第２のスイッチ手段９６を設けているが、前車軸６１（又は後車軸６６）に２つのカムを取り付け、さらに２つのカムによってＯＮ・ＯＦＦするスイッチ手段を２つ設け、前車軸６１（又は後車軸６６）が後方に移動すると、一方のカムが一方のスイッチ手段をＯＮ・ＯＦＦし、前車軸６１（又は後車軸６６）が前方に移動すると、他方のカムが他方のスイッチ手段をＯＮ・ＯＦＦするようにしても構わない。走行玩具１は、使用者の手で走行させる他、内部に駆動モータ等の動力源を設け、又は動力源を備えた他の走行玩具に連結させて、走行させるようにすることができる。
【００４５】
なお、上記実施の形態では、被駆動手段として、発光手段及び発音手段について説明したが、被駆動手段が可動部を備えた可動手段であっても構わない。例えば、動物形状、人型形状の可動手段を車体２に取り付け、走行玩具１が前方に走行すると、第１のスイッチ手段９５が操作されて、可動部である右腕を振り、走行玩具１が後方に走行すると、第２のスイッチ手段９６が操作されて、可動部である左腕を振るようにさせても構わない。また、動物形状、人型形状の可動手段を車体２の前後に反対向きに取り付け、走行玩具１が前方に走行すると、第１のスイッチ手段９５が操作されて、前方の可動手段の可動部である頭部を振り、走行玩具１が後方に走行すると、第２のスイッチ手段９６が操作されて、後方の可動手段の可動部である頭部を振るようにさせても構わない。
【００４６】
【発明の効果】
以上説明してきたように、本願発明に係る走行玩具は、車体と、前記車体に対して、走行方向と異なる方向に移動可能に設けられた移動部材と、走行玩具の走行時に、走行方向と異なる方向への前記移動部材の移動により駆動される被駆動手段とを有するため、走行時に、移動部材が走行方向と異なる方向に移動して被駆動手段を駆動するので、走行方向を簡単に把握することができ、しかも複雑な構成を必要とせず、安価に製造することができるという効果がある。
【００４７】
また、本願発明に係る走行玩具は、少なくとも第１の走行方向と第２の走行方向に走行可能であり、前記被駆動手段は、第１のスイッチ手段と、第２のスイッチ手段と、当該第１のスイッチ手段または当該第２のスイッチ手段がオンされることにより駆動される駆動部とからなり、前記第１のスイッチ手段は、前記走行玩具の第１の走行方向への走行時に、第１の走行方向とは略反対方向への移動部材の移動によりオンされ、前記第２のスイッチ手段は、前記走行玩具の第２の走行方向への走行時に、第２の走行方向とは略反対方向への移動部材の移動によりオンされるので、第１の走行方向と第２の走行方向を簡単に把握することができ、しかも複雑な構成を必要とせず、安価に製造することができるという効果がある。
【００４８】
さらに、本願発明に係る走行玩具は、前記駆動部が発光手段であって、前記第１のスイッチ手段がオンされることにより第１の色を発光し、前記第２のスイッチ手段がオンされることにより第２の色を発光するので、走行方向を視覚により簡単に識別することができるという効果がある。
【００４９】
本願発明に係る走行玩具は、前記駆動部が発音手段であって、前記第１のスイッチ手段がオンされることにより第１の音を発音し、前記第２のスイッチ手段がオンされることにより第２の音を発音するので、走行方向を聴覚により簡単に識別することができるという効果がある。
【００５０】
本願発明に係る走行玩具は、前記駆動部が可動手段であって、前記第１のスイッチ手段がオンされることにより第１の可動部が可動し、前記第２のスイッチ手段がオンされることにより第２の可動部が可動するので、単なる走行動作に興趣ある二種類の動作が加わり、その興趣ある二種類の動作が走行方向によって切り替わるので、極めて面白みがあり、逆に二種類の動作によって走行方向を簡単に把握することができるという効果がある。
【００５１】
本願発明に係る走行玩具は、前記移動部材が前記走行玩具の車軸であり、前記車体には、前記車軸を回転可能、且つ前記走行方向に対して略反対方向へ移動可能に支持する支持部が設けられているので、走行時に車軸が走行方向と異なる方向に移動して被駆動手段を駆動するので、走行方向を一つの車軸で簡単に把握することができ、しかも複雑な構成を必要とせず、安価に製造することができるという効果がある。
【００５２】
本願発明に係る走行玩具は、車体が、前車輪の前車軸を回動自在且つ前後方向に移動可能に支持する前支持部と、後車輪の後車軸を回動自在且つ前後方向に移動可能に支持する後支持部とを備え、さらに車体が、第１のスイッチ手段と、第２のスイッチ手段と、この第１のスイッチ手段と第２のスイッチ手段に電気的に接続される駆動部とを有し、前車軸が、前方向走行時に、後方向に移動して第１のスイッチ手段をオンして駆動部を駆動し、後方向走行時に、前方向に移動して第１のスイッチ手段をオンしないようにし、後車軸が、後方向走行時に、前方向に移動して第２のスイッチ手段をオンして駆動部を駆動し、前方向走行時に、後方向に移動して第２のスイッチ手段をオンしないようにしたので、前方向の走行を前車軸で簡単に把握することができ、後方向の走行を後車軸で簡単に把握することができ、しかも複雑な構成を必要とせず、安価に製造することができるという効果がある。
【００５３】
本願発明に係る走行玩具は、車軸に、スイッチ手段をオンするカムが設けられているので、簡単な構造にすることができるという効果がある。
【図面の簡単な説明】
【図１】本願発明に係る走行玩具の一つの実施の形態を示す全体斜視図である。
【図２】図１の分解斜視図である。
【図３】図１のカバーを外した側面図である。
【図４】図１の側面断面図である。
【図５】図４の動きを説明する側面断面図である。
【図６】図１の走行玩具の電気回路を説明する説明図である。
【符号の説明】
１  走行玩具
２  車体
３  下枠体
５  中底壁
６  前底壁
７  後底壁
９  左中下側壁
１０  右中下側壁
１１  左前下側壁
１２  右前下側壁
１３  左後下側壁
１４  右後下側壁
１５  係止突起
１６  ボス
１７  雌ネジ
１９  当接突起
２１  凹部
２２  軸受け凹部（前支持部）
２２ａ  後縁
２２ｂ  前縁
２３  軸受け凹部（前支持部）
２３ａ  後縁
２３ｂ  前縁
２５  係合縁
２６  係合縁
２７  凹部
２９  軸受け凹部（後支持部）
２９ａ  後縁
２９ｂ  前縁
３０  軸受け凹部（後支持部）
３０ａ  後縁
３０ｂ  前縁
３１  係合縁
３２  係合縁
３４  前上壁
３５  上枠体
３６  中上壁
３７  左中上側壁
３８  右中上側壁
３９  後上壁
４１  左前上側壁
４２  右前上側壁
４３  左後上側壁
４４  右後上側壁
４５  上前壁
４６  上後壁
４７  段部
４８  係合凹部
４９  係合凹部
５０  透孔
５１  係合凸部
５２  係合凸部
５３  ネジ通し穴
５５  ネジ
５６  蓋部材
５７  ネジ
６０  前車輪
６１  前車軸（移動部材）
６２  挿通孔
６３  カム
６４  挿通孔
６５  後車輪
６６  後車軸（移動部材）
６８  カム
７０  基板
７１  長溝
７２  当接片
７３  当接片
７５  ２色ＬＥＤ（駆動部）
７６  リード線
７７  リード線
７８  リード線
７９  電池
８０  金属板
８１  中央部
８２  爪片
８３  前湾曲部
８５  後湾曲部
８６  前接触部
８７  後接触部
８８  前直線部
８９  前屈曲部
９０  後直線部
９１  後屈曲部
９２  当接突起
９３  当接突起
９５  第１のスイッチ手段
９６  第２のスイッチ手段
９７  電気回路
９８  第１回路
９９  第２回路
１００  カバー体
１０１  左側壁
１０２  右側壁
１０３  係止穴
１０５  表示窓
【図１】
2004321615.tif 000003
【図２】
2004321615.tif 000004
【図３】
2004321615.tif 000005
【図４】
2004321615.tif 000006
【図５】
2004321615.tif 000007
【図６】
2004321615.tif 000008